(57)【要約】【課題】  レンズ間コピー後のレンズ誤動作防止のために、レンズ仕様情報の比較結果に基づき、機能毎にコピー実行の可否を自動判別することを可能にした光学機器を提供する。【解決手段】  レンズ装置は、レンズ装置の機能に関する設定データを記憶する記憶手段と、他のレンズ装置と通信する通信手段と、前記設定データの設定、及び、前記通信手段による前記設定データの送信を制御する制御手段と、を有し、前記制御手段は、前記レンズ装置と前記他のレンズ装置の仕様情報に基づいて、前記設定データ毎に、前記通信手段によって前記他のレンズ装置に該設定データを送信するか否かを判定し、通信手段が前記他のレンズ装置から設定データを受信した場合は、受信した該設定データに基づき設定データを設定する。【選択図】  図１
2015092216.tif 000002
【特許請求の範囲】
【請求項１】
レンズ装置の機能に関する設定データを記憶する記憶手段と、
他のレンズ装置と通信する通信手段と、
前記設定データの設定、及び、前記通信手段による前記設定データの送信を制御する制御手段と、
を有し、
前記制御手段は、前記レンズ装置と前記他のレンズ装置の仕様情報に基づいて、前記設定データ毎に、前記通信手段によって前記他のレンズ装置に該設定データを送信するか否かを判定し、通信手段が前記他のレンズ装置から設定データを受信した場合は、受信した該設定データに基づき設定データを設定する、
ことを特徴とするレンズ装置。
【請求項２】
レンズ装置の機能に関する設定データを記憶する記憶手段と、
他のレンズ装置と通信する通信手段と、
前記設定データの設定を制御する制御手段と、
を有し、
前記制御手段は、前記通信手段が前記他のレンズ装置から設定データを受信した場合は、前記レンズ装置と前記他のレンズ装置の仕様情報に基づいて、受信した前記設定データに基づき設定データを設定するか否かを判定する、
ことを特徴とするレンズ装置。
【請求項３】
前記制御手段は、前記他のレンズ装置より該他のレンズ装置の仕様情報を前記通信手段により受信する、ことを特徴とする請求項１又は２に記載のレンズ装置。
【請求項４】
前記制御手段は、前記レンズ装置と前記他のレンズ装置との間で、共通して有さない機能に関するデータ項目については、設定データを変更する設定はしない、ことを特徴とする、請求項１乃至３のいずれか１項に記載のレンズ装置。
【請求項５】
前記制御手段は、前記設定データの設定によって所定の機能の駆動範囲を縮小することになるデータ項目については、設定データを変更する設定はしない、ことを特徴とする、請求項１乃至４のいずれか１項に記載のレンズ装置。
【請求項６】
前記制御手段は、前記レンズ装置と前記他のレンズ装置との仕様情報に基づき前記設定データを変換し、変換された設定データを設定する、ことを特徴とする請求項１乃至５のいずれか１項に記載のレンズ装置。
【請求項７】
前記レンズ装置と前記他のレンズ装置のうちいずれかの撮影用途、を選択する撮影用途選択手段を備え、
前記制御手段は、前記レンズ装置と前記他のレンズ装置の仕様情報、及び、選択された前記撮影用途に基づいて、前記設定データ毎に、前記通信手段によって前記他のレンズ装置に該設定データを送信するか否かを判定する、
ことを特徴とする請求項１に記載のレンズ装置。
【請求項８】
前記レンズ装置の撮影用途を選択する撮影用途選択手段を備え、
前記制御手段は、前記通信手段が前記他のレンズ装置から設定データを受信した場合は、前記レンズ装置と前記他のレンズ装置の仕様情報、及び、選択された前記撮影用途に基づいて、受信した前記設定データに基づき設定データを設定するか否かを判定する、
ことを特徴とする請求項２に記載のレンズ装置。
【請求項９】
前記仕様情報には、前記レンズ装置それぞれに固有のレンズ固有情報と、現在の前記設定データやレンズ装置の調整状態を含むレンズ設定情報とを含む、ことを特徴とする請求項１乃至８のいずれか１項に記載のレンズ装置。
【請求項１０】
前記レンズ固有情報は、ハードウェアの仕様情報及びソフトウェアの仕様情報のうち、少なくとも一つを含む、ことを特徴とする請求項９に記載のレンズ装置。
【請求項１１】
前記ハードウェアの仕様情報には、ズーム比、像振れ補正機能の有無、エクステンダーの有無及び倍率、フォーカス駆動の仕様、ズームレンズとズーム駆動手段との電磁クラッチ接続の有無、画角補正機能の有無、の少なくとも一つを含む、ことを特徴とする請求項１０に記載のレンズ装置。
【請求項１２】
前記制御手段による前記設定データの変更の結果を出力する手段を備えることを特徴とする請求項１乃至１１のいずれか１項に記載のレンズ装置。
【請求項１３】
前記通信手段は有線通信手段である、ことを特徴とする請求項１乃至１２のいずれか１項に記載のレンズ装置。
【請求項１４】
前記通信手段は無線通信手段である、ことを特徴とする請求項１乃至１２のいずれか１項に記載のレンズ装置。
【請求項１５】
請求項１乃至１４のいずれか１項に記載のレンズ装置と、該レンズ装置からの入射光を受光する撮像装置と、を備える撮影装置。
【発明の詳細な説明】
【技術分野】
【０００１】
本発明は、レンズ装置に関し、特にテレビジョン撮影に用いられるレンズ装置とレンズ装置に接続された撮像装置を備えた撮影装置に関するものである。
【背景技術】
【０００２】
テレビ撮影に用いられる撮影システムは、テレビカメラとテレビレンズから構成されている。テレビレンズはレンズ本体とドライブユニットに大別され、レンズ本体には撮影光学系とそれを操作するためのマニュアルリングがある。ドライブユニットには、マニュアルリングを電動駆動するためのモータや制御基板、ＣＰＵが内部に構成され、外装面には電動制御を指示するスイッチや操作部材が備えられている。又、ドライブユニットには電動制御用の制御機能の選択設定手段が付加されている。制御機能の選択手段には、例えば任意のズーム位置を一度記憶しておくと、スイッチを押すことで記憶した位置までモータ駆動するプリセット機能がある。又、ドライブユニット上の複数あるスイッチの中で、ユーザが任意のスイッチにプリセット機能等の割当てができる機能等がある。
【０００３】
これらレンズ制御に関する機能(以下、レンズ制御機能)は、電動制御の使用頻度が高まるにつれて増加しており、様々な機能の設定が可能となっている。レンズ制御機能を接続されるレンズ本体の種類や撮影用途、またユーザの好みによって使い分けることで、ユーザの操作性向上を実現している。
【０００４】
従来、テレビレンズでは、複数種のレンズ制御機能のデータ(以下、設定データ)の設定が可能であり、ユーザ毎に設定可能とすることで、各ユーザが好みの設定で撮影することを可能としていた。また、他のテレビレンズと接続し、ユーザ毎に保持している設定データをテレビレンズ間でコピー可能とすることで、他のテレビレンズを瞬時に所望の設定にすることを可能としていた。
【０００５】
例えば、特許文献１では外部機器から無線接続した複数のレンズに対し一括、または個別に設定を行う技術が開示されている。また、特許文献２では複数種の設定データを、書き換え不可の初期データと、初期データを基に書き換え可能な複数のユーザデータとに分類して持つ技術が開示されている。
【先行技術文献】
【特許文献】
【０００６】
【特許文献１】特開２００８−３１００９５号公報
【特許文献２】特開２００４−２９７５４７号公報
【発明の概要】
【発明が解決しようとする課題】
【０００７】
しかしながら、上述の特許文献に開示された従来技術では、異なる機種間で設定データのコピー（以下、レンズ間コピー）を行った場合に、機種特有の機能に影響を及ぼす可能性がある。これを回避するためには、ユーザが機能毎に制限をかけるか、レンズ間コピー実行後に機種に適した設定にする必要があり、ユーザの作業が煩雑になってしまう。
【０００８】
テレビレンズの機種には、広角タイプや望遠タイプ、防振機能を有するもの等があり、ユーザは撮影環境や撮影用途によって使い分けている。このため、同じレンズ制御機能であっても、設定範囲や機能の有効/無効が機種に依存する場合がある。また、同じ機種間においても撮影環境や撮影用途が異なる場合がある。よって、レンズの機種や、レンズ間コピー実行後にどのような撮影環境で使用されるかにより、レンズ制御機能毎に適切な設定を行う必要がある。
【０００９】
そこで、本発明の目的は、レンズ間コピー後のレンズ誤動作防止のために、レンズ仕様情報の比較結果に基づき、機能毎に設定データのコピー実行の可否を自動判別することを可能にしたレンズ装置及びそれを有する撮影装置を提供することである。
【課題を解決するための手段】
【００１０】
上記目的を達成するために、本発明のレンズ装置は、レンズ装置の機能に関する設定データを記憶する記憶手段と、他のレンズ装置と通信する通信手段と、前記設定データの設定、及び、前記通信手段による前記設定データの送信を制御する制御手段と、を有し、前記制御手段は、前記レンズ装置と前記他のレンズ装置の仕様情報に基づいて、前記設定データ毎に、前記通信手段によって前記他のレンズ装置に該設定データを送信するか否かを判定し、通信手段が前記他のレンズ装置から設定データを受信した場合は、受信した該設定データに基づき設定データを設定する。
【発明の効果】
【００１１】
本発明によれば、レンズ仕様情報の比較結果に基づき、機能毎に設定データのコピー実行の可否を自動判別することを可能にしたレンズ装置及びそれを有する撮影装置を提供することができる。
【図面の簡単な説明】
【００１２】
【図１】実施例１、３の構成を表すブロック図である。
【図２】実施例１〜４で用いるレンズ仕様情報の一覧表である。
【図３】実施例１のレンズ間コピー時のフローチャートである。
【図４】実施例１におけるレンズ間コピー前後の設定値一覧表である。
【図５】実施例２の構成を表すブロック図である。
【図６】実施例２で用いる撮影用途一覧表である。
【図７】実施例２のレンズ間コピー時のフローチャートである。
【図８】実施例２におけるレンズ間コピー前後の設定値の一覧表である。
【図９】実施例３のレンズ間コピー時のフローチャートである。
【図１０】実施例３におけるレンズ間コピー前後の設定値の一覧表である。
【図１１】実施例４の構成を表すブロック図である。
【図１２】実施例４のレンズ間コピー時のフローチャートである。
【発明を実施するための形態】
【００１３】
以下に、本発明の好ましい実施の形態を、添付の図面に基づいて詳細に説明する。図１は、本発明の実施形態に係る光学機器の構成ブロック図である。
【実施例１】
【００１４】
以下、図１〜４を参照して、本発明の第１の実施例による、光学機器について説明する。
【００１５】
図１は、本実施例におけるレンズ装置の機能ブロック図である。図１において１００、２００はレンズ装置である。本実施例では、レンズ装置１００からレンズ装置２００に対して設定データのコピー（以下、レンズ間コピー）を行うものとする。以下、レンズ間コピー時のコピー元レンズをコピー元、同コピー先レンズをコピー先と記載する。
レンズ装置１００は、主として、フォーカスレンズ１０１、ズームレンズ１０２、アイリス１０３、演算部（制御手段）１１０、記憶部（記憶手段）１１１、通信部（通信手段）１１２、送信判定部１１３から構成される。
【００１６】
フォーカスレンズ１０１は物体距離を変化させるレンズ、ズームレンズ１０２は焦点距離を変化させるレンズ、アイリス１０３は光量を調整する絞り部である。
【００１７】
フォーカスレンズ１０１には、フォーカスレンズ１０１を駆動するフォーカス駆動部１０４、フォーカスレンズ１０１の位置を検出するフォーカス位置検出部１０５が接続されている。ズームレンズ１０２には、ズームレンズ１０２を駆動するズーム駆動部１０６、ズームレンズ１０２の位置を検出するズーム位置検出部１０７が接続されている。又、アイリス１０３には、アイリス１０３を駆動するアイリス駆動部１０８、アイリス１０３の位置を検出するアイリス位置検出部１０９が接続されている。
【００１８】
本実施例では、位置検出部１０５、１０７、１０９にエンコーダを用いるが、これに限らずポテンショメータを用いても良い。フォーカス位置検出部１０５は、フォーカスレンズ１０１の駆動に伴い、位置信号を演算部１１０に出力する。同様に、ズーム位置検出部１０７はズームレンズ１０２の駆動に、アイリス位置検出部１０９はアイリス１０３の駆動に伴い、位置信号を演算部１１０に出力する。
【００１９】
演算部１１０は、フォーカスレンズ１０１を駆動するために、フォーカス駆動部１０４に駆動信号を出力する。同様に、ズームレンズ１０２を駆動するためにズーム駆動部１０６に、アイリス１０３を駆動するためにアイリス駆動部１０８に、駆動信号を出力する。また、通信データを通信部１１２に出力し、通信部１１２からの通信データを入力する。さらに、レンズ仕様情報の要求を通信部１１２に出力し、レンズ間コピー実行要求を送信判定部１１３に出力する。
【００２０】
記憶部１１１はメモリであり、記憶するデータの詳細は、図４にて説明する。
通信部１１２は、レンズ装置２００と通信を行う。
送信判定部（制御手段）１１３は、演算部１１０からレンズ間コピー実行要求が入力された場合、記憶部１１１のデータを、通信部１１２からレンズ装置２００に送信して良いか否かを判定する。判定には、図２を参照して後述するレンズ仕様情報を用いる。
また、不図示のスイッチを備えており、スイッチ入力によりレンズ間コピーを行えるものとする。
レンズ装置２００は、レンズ装置１００と同様の構成である。
【００２１】
図２は、レンズ仕様情報（仕様情報）の一例であり、４タイプ分の仕様情報を表にしたものである。図示するように、レンズ仕様情報にはズーム比、像振れ補正機能の有無やエクステンダーの有無及び倍率、画角補正機能の有無に関する情報、フォーカスレンズの駆動の仕様（Servo/Manualの種別）、ズームレンズとズーム駆動手段との電磁クラッチ接続の有無等のレンズタイプ情報等のハードウェアの仕様に関する装置に固有の情報（レンズ固有情報）を含む。及び、制御ソフトウェアの種類やバージョン及びＲＯＭ内の構成仕様等のソフトウェアに関する情報、及び、現在の設定や調整状態（レンズ設定情報）等、複数の情報を含む。本実施例ではレンズ装置１００の仕様情報を図２中に示した「Ａ」で示したレンズの仕様情報、レンズ装置２００の仕様情報を「Ｂ」で示したレンズの仕様情報とする。
【００２２】
図３は、本実施例における、コピー元であるレンズ装置１００のレンズ間コピー時の処理を示すフローチャート図である。
演算部１１０からレンズ間コピー実行要求が入力されると、Ｓ３０１に進む。
【００２３】
Ｓ３０１では、通信部１１２がレンズ装置２００に対し、図２で示したレンズ仕様情報を要求し、Ｓ３０２に進む。
Ｓ３０２では、レンズ装置２００からレンズ仕様情報を受信したか否かを判断し、受信していればＳ３０３に進み、そうでなければＳ３０２に戻る。
Ｓ３０３では、記憶部１１１よりレンズ間コピーを行う設定データを任意の数ずつ読み出し、Ｓ３０４に進む。本実施例では、設定データを一つずつ読み出す。
【００２４】
Ｓ３０４では、送信判定部１１３にて、Ｓ３０３で読み出した設定データ毎に、Ｓ３０２で取得したレンズ仕様情報とレンズ装置１００のレンズ仕様情報との比較結果に基づいてレンズ間コピー実行可否を判定し、Ｓ３０５に進む。本実施例では、コピー元が像振れ補正機能を搭載しているのに対し、コピー先は像振れ補正機能を搭載していない。よって、本実施例での判定処理では、像振れ補正に関する設定に対してはコピー実行否と判定する。Ｓ３０４の判定を行うことで、非搭載機能に関する信号出力や、他の機能に影響を与える等、コピー先の誤動作を防止できる。
【００２５】
Ｓ３０５では、Ｓ３０４の判定結果に基づき、レンズ間コピー実行可であればＳ３０６に進み、そうでなければＳ３０７に進む。
Ｓ３０６では、通信部１１２からレンズ装置２００に設定データを送信し、Ｓ３０７に進む。
Ｓ３０７では、全ての設定項目に対してレンズ間コピーに関する処理が完了したか否かを判断し、完了していれば処理を完了し、そうでなければＳ３０３に進む。
レンズ装置１００が図３の処理を行っている間、レンズ装置２００はレンズ装置１００から受信した設定データを記憶部２１１に記憶する。
【００２６】
図４は、本実施例におけるレンズ間コピー対象の設定データと、レンズ間コピー実行前後における、各データ項目の設定データを示した表である。表中の斜体字は、レンズ間コピー後のレンズ装置２００の設定値のうち、コピーされていない設定データであることを示している。例えば、像振れ補正（IS）機能を搭載しているレンズ装置１００の像振れ補正機能に関する設定データ（RETスイッチ機能や像振れ補正機能のON/OFF）は、像振れ補正機能を搭載していないレンズ装置２００にコピーされていない。逆に、画角補正機能を搭載していないレンズ装置１００の画角補正機能に関する設定データは、画角補正機能を搭載しているレンズ装置２００にコピーされていない。すなわち、ある機能を有さないレンズからその機能を有するレンズへの、その機能に関する設定データをコピーしないことにより、コピー先のレンズのその機能を制約することを未然に防止する。また、ズームトラッキング機能等、駆動範囲を制限する設定データは、コピーされていない。ズームトラッキング機能とは、ズームレンズの駆動範囲に制限を加えるものであり、通常のズームレンズ装置は機能である。ズームトラッキング機能の有効が設定されているレンズ装置から無効が設定されているレンズ装置へのコピーは、コピー先のレンズ装置のズーム可動範囲に制限を加えることになるので、ズーム運用の自由度を低減させないために、コピーしないよう制御する。レンズ装置１００とレンズ装置２００との間で、共通して有さない機能（例えば、画角補正機能）に関するデータ項目（例えば、ＡＵＸ ＳＷへの機能の割付け、画角補正機能のＯＮ／ＯＦＦ）については設定データを変更する設定はしない。設定データの変更によって、所定の機能の駆動範囲を縮小することになるデータ項目（例えば、ズームトラッキングのＯＦＦからＯＮへの変更）については設定データを変更する設定はしない。また、設定データの変更によっても、ユーザの操作に対しては何ら影響を与えないデータ項目（例えば、ズーム制御方法に関する位置制御／速度制御の選択）についてはコピーする。一方、共通の機能に関しては、確実にコピーされている。
【００２７】
以上より、レンズ仕様情報の比較結果に基づき、機能毎にコピー実行の可否を自動判別することで、機種特有の機能に影響を及ぼすことのない、レンズ間コピーを可能にした。
【００２８】
本実施例では、レンズ仕様情報の比較において、図２のレンズ仕様情報を用いたが、これに限らず、一つ以上の種々のレンズ識別可能な情報から判定しても良いし、判定に使用するレンズ仕様情報を選択するようにしても良い。また、設定データの読み出しを一つずつ行ったが、これに限らず関連のある複数の設定データを一括で読み出すようにしても良い。さらに、レンズ間コピーにおいて、図４に示したデータ項目をコピーする設定データの対象としたが、これに限らず種々の設定データを対象としても良い。また、レンズ間コピーの実行開始をレンズ装置に備えるスイッチによって可能としたが、これに限らず機能の設定や確認が行える表示部や、ＰＣ等の外部機器から実行可としても良いし、レンズ装置の接続により自動で実行するようにしても良い。また、表示装置を備え、レンズ間コピー結果の一覧表示や、コピー不可を警告表示しても良い。また、レンズ装置の構成において、レンズ間コピーを行うコピー元とコピー先で同一としたが、コピー先の構成は、レンズ間コピー機能を備えていて、レンズ間で通信可能であれば同一でなくても良い。また、レンズ間の通信方法は、有線通信でも無線通信でも良く、通信部にて通信可能であれば良い。
【００２９】
本実施例によれば、レンズ仕様情報の比較結果に基づき、機能毎にコピー実行の可否を自動判別することを可能にした光学機器を提供することができる。
【実施例２】
【００３０】
以下、図２、５〜８を参照して、本発明の第２の実施例による、光学機器について説明する。
【００３１】
実施例１と同一の機能構成は、同一の符号を付け、説明は省く。
図５は本実施例のレンズ装置の機能ブロック図である。実施例１でのレンズ装置に対し、レンズ装置１００に撮影用途選択部１１４が追加されている点が異なる。一方、レンズ装置２００がレンズ装置１００と同様の構成である点、レンズ装置１００からレンズ装置２００に対してレンズ間コピーを行う点は、実施例１と同様である。本実施例ではレンズ装置１００の仕様情報を図２中に示した「Ｃ」で示した仕様情報、レンズ装置２００の仕様情報を「Ｃ」で示した仕様情報とする。
【００３２】
図５において、撮影用途選択部１１４は、レンズ装置１００に備えられた表示部であり、表示部でレンズ間コピー先であるレンズ装置２００の撮影用途を選択可能である。
【００３３】
図６は、撮影用途選択部１１４で選択可能な撮影用途の一覧表である。例えば、競技場や競馬上等のフィールド撮影や、ＴＶスタジオ撮影、三脚での撮影を選択できる。本実施例では、雲台撮影を選択しているものとする。
【００３４】
図７は、本実施例における、コピー元であるレンズ装置１００のレンズ間コピー時の処理を示すフローチャート図である。
【００３５】
以下、実施例１で説明した図３との差分のみを説明する。
Ｓ７０１では、撮影用途選択部１１４で選択された撮影用途を読み出し、Ｓ３０３に進む。
Ｓ７０２では、送信判定部１１３にて、Ｓ３０３で読み出した設定データを、Ｓ３０２で取得したレンズ仕様情報と、レンズ装置１００のレンズ仕様情報の比較結果、及び、Ｓ７０１で読み出した撮影用途と、に基づいてレンズ間コピー実行可否を判定し、Ｓ３０５に進む。本実施例では、コピー元とコピー先のレンズ仕様情報は同一であるが、コピー先の撮影用途は雲台撮影が選択されている。よって、判定処理の具体例は、雲台に関する設定に対してはコピー実行否と判定する。すなわち、コピー先のレンズ装置２００は、雲台撮影に関する機能の自由度は最大限の状態で維持していたいか、又は、意図的に、雲台機能に関して意図した設定の状態で使用されることが前提とされているので、他のレンズ装置１００から雲台に関する設定データをコピーしないように制御する。Ｓ７０２の判定を行うことで、非搭載機能に関する信号出力や、他の機能に影響を与える等、コピー先の誤動作を防止できる。
レンズ装置１００が図７の処理を行っている間、レンズ装置２００はレンズ装置１００から受信した設定データを記憶部２１１に記憶する。
【００３６】
図８は、本実施例におけるレンズ間コピー対象の設定データと、レンズ間コピー実行前後における、各データ項目の設定データを示した表である。表中の斜体字は、実施例１同様、レンズ間コピー後のレンズ装置２００の設定データのうち、コピーされていない設定データであることを示している。例えば、レンズ装置１００の雲台設定に関する設定データ（雲台のON/OFF）は、雲台撮影が選択されているレンズ装置２００にコピーされていない。また、肩担ぎモードとなっているレンズ装置１００の像振れ補正モードは、雲台撮影が選択されているレンズ装置２００にコピーされていない。また、ズームトラッキング機能等、駆動範囲を制限する設定データは、コピーされていない。一方、共通機能に関してはコピーされている。
【００３７】
以上より、レンズ仕様情報の比較結果に加え、撮影用途に基づいて、機能毎にコピー実行の可否を自動判別することで、レンズ仕様情報が同一の場合においても、撮影用途によって所望の設定データにレンズ間コピーすることを可能にした。本実施例では、コピー先の撮影用途を選択するようにしたが、これに限らずコピー元の撮影用途も選択可能にしても良いし、各レンズ装置で予め自装置の撮影用途を選択するようにしても良い。また、撮影用途の選択手段をレンズ装置に備えたが、ＰＣ等の外部機器から選択可能としても良いし、レンズ間コピー時に改めて選択、確認ができるようにしても良い。
【００３８】
本実施例によれば、レンズ仕様情報の比較結果と選択された撮影用途に基づき、機能毎にコピー実行の可否を自動判別することを可能にした光学機器を提供することができる。
【実施例３】
【００３９】
以下、図１、２、９、１０を参照して、本発明の第３の実施例による、光学機器について説明する。
実施例１、２と同一の機能構成は、同一の符号を付け、説明は省く。
【００４０】
本実施例のレンズ装置の機能ブロック図は、図１に示した実施例１と同様の構成を有する。また、レンズ装置１００からレンズ装置２００に対してレンズ間コピーを行う点は、実施例１及び２と同様である。本実施例ではレンズ装置１００の仕様情報を図２に示したレンズ種別Ｄ、レンズ装置２００の仕様情報をレンズ種別Ａとする。
【００４１】
図９は、本実施例における、コピー元であるレンズ装置１００のレンズ間コピー時の処理を示すフローチャート図である。
【００４２】
以下、実施例１で説明した図３のフローチャートとの差分のみを説明する。
Ｓ９０１では、Ｓ３０３で読み出した設定データを、演算部１１０にてＳ３０２で取得したレンズ仕様情報に基づいてコピー先レンズに適した値に変換し、Ｓ３０６に進む。本実施例では、コピー元が１０ｘのレンズ装置であり、コピー先が１７ｘのレンズ装置である。従って、具体的は、メモリされているショット位置（予め記憶したレンズの位置）にて、コピー元とコピー先で撮影画角が同一、または類似するよう変換する。また、メモリされているショット位置やズームのトラッキング位置がＦ落ちしない位置となるよう変換する。Ｓ９０１の変換を行うことで、ショット機能により撮影画角が再現でき、また、機能のON/OFFによるＦ落ち等、ユーザの意図しない動作を防止できる。
レンズ装置１００が図９の処理を行っている間、レンズ装置２００はレンズ装置１００から受信した設定データを記憶部２１１に記憶する。
【００４３】
図１０は、本実施例におけるレンズ間コピー対象の設定データと、レンズ間コピー実行前後における、各データ項目の設定データを示した表である。表中の斜体字は、実施例１〜２同様、レンズ間コピー後のレンズ装置２００の設定データのうち、コピーされていない設定データであることを示している。また、表中の斜体太字は、レンズ間コピー時にレンズ装置１００にて変換された値が設定されている設定データであることを示している。例えば、ショットのメモリ位置は、レンズ装置１００でメモリした際の画角を基に、レンズ装置２００にて同一の画角となるような画角に変換されている。また、ズームのトラッキング位置は、レンズ装置２００にてＦ落ちしない位置に変換されている。一方、共通機能に関するデータ項目に関しては確実にコピーされている。
【００４４】
以上より、レンズ仕様情報の比較結果に基づいて、設定データをコピー先に適した値に変換することで、異なる機種間でも撮影画角やＦ落ち位置等を考慮したレンズ間コピーを可能にした。本実施例では、レンズ仕様情報の比較結果からデータ変換を行うようにしたが、実施例２で説明した撮影用途選択部を備え、撮影用途を考慮してデータを変換するようにしても良い。
【００４５】
本実施例によれば、レンズ仕様情報の比較結果に基づき、レンズ間コピーにて、コピー先レンズに適した値に自動で設定することを可能にした光学機器を提供することができる。
【実施例４】
【００４６】
以下、図２、１１、１２を参照して、本発明の第４の実施例による、光学機器について説明する。
実施例１〜３と同一の機能構成は、同一の符号を付け、説明は省く。
【００４７】
図１１は本実施例のレンズ装置の機能ブロック図である。実施例１のレンズ装置と比較し、レンズ装置１００の送信判定部１１３の代わりに、受信判定部１１５が構成されている点が異なる。レンズ装置２００は、レンズ装置１００と通信接続可であり、レンズ間での設定情報をコピーする機能を備え、レンズ装置２００の通信部（不図示）からレンズ装置１００に設定データを送信可である点以外は、限定されない。本実施例では、レンズ装置２００からレンズ装置１００に対してレンズ間コピーを行う。本実施例では、レンズ装置１００のレンズ仕様情報は図２に示した「Ｂ」で示した仕様情報を、レンズ装置２００のレンズ仕様情報は「Ａ」で示した仕様情報とする。
【００４８】
図１１において、受信判定部（制御手段）１１５は、通信部１１２から入力した設定データを自装置の設定データに設定するか否かを判定する。判定には図２のレンズ仕様情報を用いる。
【００４９】
図１２は、本実施例における、コピー先であるレンズ装置１００のレンズ間コピー時の処理を示すフローチャート図である。
【００５０】
レンズ装置２００からレンズ間コピーが実行されると、Ｓ１２０１に進む。
Ｓ１２０１では、自装置のレンズ仕様情報を読み出し、Ｓ１２０２に進む。
Ｓ１２０２では、レンズ間コピー未完了か否かを判断し、未完了であればＳ１２０３に進み、完了していれば処理を完了する。
Ｓ１２０３では、レンズ装置２００から設定データを受信したか否かを判断し、受信したらＳ１２０４に進み、そうでなければＳ１２０２に戻る。
【００５１】
Ｓ１２０４では、受信判定部１１５にて、Ｓ１２０１で読み出したレンズ仕様情報に基づき、Ｓ１２０３で受信した設定データを記憶部１１１に設定して良いか否かを判定し、Ｓ１２０５に進む。本実施例では、コピー元であるレンズ装置２００が像振れ補正機能を搭載しているのに対し、コピー先であるレンズ装置１００は像振れ補正機能を搭載していない。よって、レンズ装置１００の受信判定部１１５は、像振れ補正に関する設定に対しては設定否と判定する。Ｓ１２０４の判定を行うことで、搭載されていない機能に関する信号出力をさせないことや、他の機能に影響を与える設定データをコピーしないように設定することで、コピー先のレンズ装置における誤動作を防止できる。
【００５２】
Ｓ１２０５では、Ｓ１２０４の判定結果に基づき、設定しても良ければＳ１２０６に進み、そうでなければＳ１２０２に戻る。
Ｓ１２０６では、Ｓ１２０３で受信した設定データを自装置の設定データに設定し、Ｓ１２０２に戻る。
レンズ装置１００が図１２の処理を行っている間、レンズ装置２００はレンズ装置１００に対して設定データを送信する。
【００５３】
以上より、レンズ間コピー時のコピー先にて、自装置のレンズ仕様情報に基づいて、機能毎にコピー実行の可否を自動判別することで、機種特有の機能に影響を及ぼすことのない、レンズ間コピーを可能にした。また、コピー元が単純に設定データを送信するのみのレンズ装置であっても同様の効果が得られる。本実施例では、自装置のレンズ仕様情報からコピー実行の可否を判断するようにしたが、接続先レンズ装置のレンズ仕様情報を受信し、レンズ仕様情報の比較結果からコピー実行の可否を判断するようにしても良い。また、実施例２で説明した撮影用途選択部を備え、撮影用途を考慮して判断するようにしても良い。また、実施例３のようなデータ変換を行っても良い。さらに、実施例１〜３で説明した送信判定部１１３を備えた構成としても良い。送信判定部１１３と受信判定部１１５を備えることで、レンズ間コピーを行う際に接続されるレンズ装置に判定部がない場合でも、コピー元、コピー先の関係に限らず、機能毎にコピー実行の可否を自動判別することが可能となる。
【００５４】
本実施例によれば、レンズ仕様情報の比較結果に基づき、機能毎にコピー実行の可否を自動判別することを可能にしたレンズ装置を提供することができる。
【００５５】
また、上記のいずれかの実施例のレンズ装置及び該レンズ装置からの入射光を受光する撮像装置を有する撮影装置を構成することにより、本発明のレンズ装置の効果を享受する撮影装置を提供することができる。
【００５６】
以上、本発明の好ましい実施形態について説明したが、本発明はこれらの実施形態に限定されず、その要旨の範囲内で種々の変形及び変更が可能である。
【符号の説明】
【００５７】
１００  レンズ装置
１１０  演算部（制御手段）
１１１  記憶部（記憶手段）
１１２  通信部（通信手段）
１１３  送信判定部（制御手段）
２００  レンズ装置
【図１】
2015092216.tif 000003
【図２】
2015092216.tif 000004
【図３】
2015092216.tif 000005
【図４】
2015092216.tif 000006
【図５】
2015092216.tif 000007
【図６】
2015092216.tif 000008
【図７】
2015092216.tif 000009
【図８】
2015092216.tif 000010
【図９】
2015092216.tif 000011
【図１０】
2015092216.tif 000012
【図１１】
2015092216.tif 000013
【図１２】
2015092216.tif 000014